(57)【要約】【課題】  狭い場所に設置できるようにすると共に現地施工工数を削減できるようにする。【解決手段】  給水用または給湯用の配管ヘッダー１１，１２の少なくとも１箇所の吐水口２３，３４に分岐ジョイント４０を設けるようにしている。【選択図】        図１
2006225888.tif 000002
【特許請求の範囲】
【請求項１】
給水用または給湯用の配管ヘッダーの少なくとも１箇所の吐水口に分岐ジョイントが設けられたことを特徴とする配管構造。
【請求項２】
給水用配管ヘッダーと給湯用配管ヘッダーとが、吐水口が互いに外側へ向くように背中合せにして並設されたことを特徴とする配管構造。
【請求項３】
自立可能な強度を有する一枚のボードに、給水用配管ヘッダーと給湯用配管ヘッダーとが併設して固定され、給水用配管ヘッダーまたは給湯用配管ヘッダーの少なくとも１箇所の吐水口に分岐ジョイントが設けられたことを特徴とする配管用ユニット。
【請求項４】
自立可能な強度を有する一枚のボードに、給水用配管ヘッダーと給湯用配管ヘッダーとが、吐水口が互いに外側へ向くように背中合せにして並設固定されたことを特徴とする配管用ユニット。
【発明の詳細な説明】
【技術分野】
【０００１】
この発明は、配管構造および配管用ユニットに関するものである。
【背景技術】
【０００２】
図５に示すように、住宅には、台所１、浴室２、洗面所３、トイレ４、洗濯機５、給湯器６などの各種水使用設備が設けられており、これらの水使用設備へ給水本管７からの水を分配するためにヘッダー８を用いた配管構造が採用されている。
【０００３】
従来の配管構造には、ヘッダーをケーシングの内部に納めて一階の天井裏に設置したものがある（例えば、特許文献１参照）。
【特許文献１】特開２００２−４７７０３号公報
【発明の開示】
【発明が解決しようとする課題】
【０００４】
しかしながら、上記特許文献１に記載された配管構造では、ヘッダーを単にケーシングの内部に納めるようにしていたため、ケーシングの設置位置が限定されてしまい、住宅内の様々な狭小空間や突出物などのある変形空間などに対して設置することができず、設置自由度が低かった。なお、ヘッダーの構造や配置などについては、従来、特に工夫されていなかった。また、ケーシングには、所要の構造強度やメンテナンス性が要求されるため、機能確保上あまりコンパクトにすることはできなかった。加えて、上記構造では、現地施工工数の削減を図ることが難しかった。
【課題を解決するための手段】
【０００５】
上記課題を解決するために、請求項１に記載された発明では、給水用または給湯用の配管ヘッダーの少なくとも１箇所の吐水口に分岐ジョイントが設けられた配管構造を特徴としている。
【０００６】
請求項２に記載された発明では、給水用配管ヘッダーと給湯用配管ヘッダーとが、吐水口が互いに外側へ向くように背中合せにして並設された配管構造を特徴としている。
【０００７】
請求項３に記載された発明では、自立可能な強度を有する一枚のボードに、給水用配管ヘッダーと給湯用配管ヘッダーとが併設して固定され、給水用配管ヘッダーまたは給湯用配管ヘッダーの少なくとも１箇所の吐水口に分岐ジョイントが設けられた配管用ユニットを特徴としている。
【０００８】
請求項４に記載された発明では、自立可能な強度を有する一枚のボードに、給水用配管ヘッダーと給湯用配管ヘッダーとが、吐水口が互いに外側へ向くように背中合せにして並設固定された配管用ユニットを特徴としている。
【発明の効果】
【０００９】
請求項１の発明によれば、給水用または給湯用の配管ヘッダーの少なくとも１箇所の吐水口に分岐ジョイントが設けられた配管構造により、必要な分岐数よりも少ない吐水口数の配管ヘッダーが使用できて、分岐部の長さを短くすることができる。これにより、壁の枠材間などの狭い場所にも設置することが可能となる。
【００１０】
請求項２の発明によれば、給水用配管ヘッダーと給湯用配管ヘッダーとが、吐水口が互いに外側へ向くように背中合せにして並設された配管構造により、給水用配管ヘッダーと
給湯用配管ヘッダーとをほぼ密着状態とすることができ、ヘッダー軸方向と直交する方向の寸法を短くすることができる。これにより、壁の枠材間などの狭い場所にも設置することが可能となる。
【００１１】
請求項３の発明によれば、自立可能な強度を有する一枚のボードに、給水用配管ヘッダーと給湯用配管ヘッダーとが併設して固定され、給水用配管ヘッダーまたは給湯用配管ヘッダーの少なくとも１箇所の吐水口に分岐ジョイントが設けられた配管用ユニットにより、請求項１と同様の作用効果を得ることができると共に、ユニット化したことにより、現地施工工数の削減を図ることができる。
【００１２】
請求項４の発明によれば、自立可能な強度を有する一枚のボードに、給水用配管ヘッダーと給湯用配管ヘッダーとが、吐水口が互いに外側へ向くように背中合せにして並設固定された配管用ユニットにより、請求項２と同様の作用効果を得ることができると共に、ユニット化したことにより、現地施工工数の削減を図ることができる。
【発明を実施するための最良の形態】
【００１３】
狭い場所に設置できるようにすると共に現地施工工数を削減できるようにするという目的を、給水用または給湯用の配管ヘッダーの少なくとも１箇所の吐水口に分岐ジョイントを設ける、という手段で実現した。
【実施例１】
【００１４】
以下、本発明を具体化した実施例について、図示例と共に説明する。
【００１５】
図１、図２は、この発明の実施例を示すものである。
【００１６】
まず、構成を説明すると、住宅には、一般に、台所、浴室、洗面所、トイレ、洗濯機、給湯器などの６箇所以上の各種水使用設備が設けられており、これらの水使用設備へ水を分配するために給水用配管ヘッダー１１が設けられる。また、住宅には、一般に、台所、浴室、洗面所、トイレなどのうちの３箇所以上の各種湯使用設備が設けられており、これらの湯使用設備へ湯を分配するために給湯用配管ヘッダー１２が設けられる。
【００１７】
この実施例のものでは、自立可能な強度を有する１枚のボード１３を設ける。このボード１３の強度は、材質や板厚などによって設定する。このボード１３は、壁や床や天井のフトコロなど住宅内の様々な狭小空間や突出物などのある変形空間などに対して設置可能な大きさのものとする。また、このボード１３は、設置する部分の形状に合わせて切断加工可能なものとし、ビス、接着剤など、設置する部分の下地の位置や形状に応じた取付方で固定し得るものとする。
【００１８】
このボード１３に、給水用の配管ヘッダー（給水用配管ヘッダー１１）と、給湯用配管ヘッダー（給湯用配管ヘッダー１２）とを併設して固定することにより、配管用ユニットを構成する。ボード１３に対する給水用配管ヘッダー１１および給湯用配管ヘッダー１２の取付けは、ブラケット金物１４を使用する。そして、給水用配管ヘッダー１１および給湯用配管ヘッダー１２として、柔軟管１５を接続可能なものを使用する。
【００１９】
また、給水用配管ヘッダー１１または給湯用配管ヘッダー１２の少なくとも１箇所の吐水口２３または吐湯口３４に分岐ジョイント４０を設けるようにする。
【００２０】
より具体的には、この配管用ユニットの給水用配管ヘッダー１１を４分岐用ヘッダー部材２１とする。給水用配管ヘッダー１１は、直管状を呈しており、一端部に入水口２２を有し、側部の３箇所の位置と他端部に吐水口２３を有している。そして、入水口２２に給
水管２４を接続し、吐水口２３に給水分配管２５を接続する。この給水管２４および給水分配管２５が柔軟管１５で構成される。この柔軟管１５には、通常、ワンタッチ継手２６が設定されているため、入水口２２および吐水口２３には、このワンタッチ継手２６の相手部品となる受コネクタを設定しておくようにする。
【００２１】
また、この配管用ユニットの給湯用配管ヘッダー１２を３分岐用ヘッダー部材３２とする。給湯用配管ヘッダー１２は、直管状を呈しており、一端部に入水口（入湯口３３）を有し、側部の３箇所の位置に吐水口（吐湯口３４）を有している。そして、入湯口３３に給湯管３５を接続し、吐湯口３４に給湯分配管３６を接続する。この給湯管３５および給湯分配管３６が柔軟管１５で構成される。この柔軟管１５には、通常、ワンタッチ継手２６が設定されているため、入湯口３３および吐湯口３４には、このワンタッチ継手２６の相手部品となる受コネクタを設定しておくようにする。
【００２２】
そして、給水用配管ヘッダー１１と給湯用配管ヘッダー１２とを、機能に支障のない最小の間隔３８（この場合には、上下方向の間隔３８を指している）を有してボード１３に異なる高さ３９（この場合には、ボード１３面を基準として面直方向の高さ３９を指している）で並列に固定する。即ち、各柔軟管１５の着脱に支障がなく相互干渉が起こらない間隔３８および高さ３９で固定する。
【００２３】
更に、４分岐用ヘッダー部材２１を用いた給水用配管ヘッダー１１の少なくとも１箇所以上の吐水口２３に分岐ジョイント４０を接続する。この分岐ジョイント４０は、給水分配管２５を更に分配するためのものである。給水分配管２５は、給水再分配管４１に２分配される。この給水再分配管４１も柔軟管１５で構成する。給水再分配管４１も、通常、ワンタッチ継手２６が設定されているため、分岐ジョイント４０には、このワンタッチ継手２６の相手部品となる受コネクタを設定しておくようにする。なお、分岐ジョイント４０は、吐水口２３に直接取付けても間接的に取付けても良い。
【００２４】
或いは、特に、図示しないが、給湯用配管ヘッダー１２を２分岐用ヘッダー部材として、この２分岐用ヘッダー部材の少なくとも１箇所以上の吐湯口３４に分岐ジョイント４０を介して給湯再分配管を接続するようにしても良い。
【００２５】
なお、この実施例では、ボード１３は、壁の内部に垂直状態で設置される。このボード１３に対し、給水用配管ヘッダー１１と給湯用配管ヘッダー１２とは、上下に間隔３８を隔てて、水平且つ平行に固定されている。そして、給湯用配管ヘッダー１２を上側とし、給水用配管ヘッダー１１を下側とすると共に、給湯用配管ヘッダー１２を奥側としてボード１３に近付け、給水用配管ヘッダー１１を手前側としてボード１３から離して配置している。更に、給水用配管ヘッダー１１の入水口２２、吐水口２３、および、給湯用配管ヘッダー１２の入湯口３３、吐湯口３４を下へ向けて、給水管２４、給水分配管２５および給湯管３５、給湯分配管３６が下方へ垂下した状態で取り回されるようにしている。
【００２６】
次に、この実施例の作用について説明する。
【００２７】
自立可能な強度を有する１枚のボード１３に、給水用配管ヘッダー１１と、給湯用配管ヘッダー１２とを並列に固定した配管用ユニットを予め用意し、このボード１３を壁や床や天井のフトコロなど住宅内の様々な狭小空間や突出物などのある変形空間などに対して設置し、ビス、接着剤など、設置する部分の下地の位置や形状に応じた取付方で固定する。この固定に際し、設置する部分の形状に合わせてボード１３を切断加工することができる。
【００２８】
そして、ボード１３が設置されたら、給水用配管ヘッダー１１の４箇所の吐水口２３を
、台所、浴室、トイレ、給湯器用として、給水分配管２５を介してこれらに接続し得るようにする。そして、浴室とトイレへの給水分配管２５を分岐ジョイント４０および給水再分配管４１を介して、浴室と洗面所、トイレと洗濯機とに、それぞれ再分配させるようにする。このようにしても、浴室と洗面所、トイレと洗濯機とは、それぞれ同時使用率が比較的低いので、同時使用による給水量の減少が起こりにくく、使い勝手の上で支障をきたすことがない。
【００２９】
同様に、給湯用配管ヘッダー１２の３箇所の吐湯口３４を、台所、浴室、洗面所用として、給湯分配管３６を介してこれらに接続し得るようにする。
【００３０】
以上により、住宅の配管構造が完成する。
【００３１】
この実施例によれば、給水用または給湯用の配管ヘッダー（給水用配管ヘッダー１１、給湯用配管ヘッダー１２）の少なくとも１箇所の吐水口２３または吐湯口３４に分岐ジョイント４０が設けられた配管構造とすることにより、必要な分岐数よりも少ない吐水口数の配管ヘッダーが使用できて、分岐部の長さを短くすることができる。これにより、壁の枠材間などの狭い場所にも設置することが可能となる。
【００３２】
また、自立可能な強度を有する一枚のボード１３に、給水用配管ヘッダー１１と給湯用配管ヘッダー１２とが併設して固定され、給水用配管ヘッダー１１または給湯用配管ヘッダー１２の少なくとも１箇所の吐水口２３または吐湯口３４に分岐ジョイント４０が設けられた配管用ユニットを用いることにより、上記と同様の作用効果を得ることができると共に、ユニット化したことにより、現地施工工数の削減を図ることができる。
【００３３】
加えて、自立可能な強度を有する１枚のボード１３に、給水用配管ヘッダー１１と、給湯用配管ヘッダー１２とを並列に固定することにより、ケーシングをなくすと共に小型のボード１３内に給水用配管ヘッダー１１と、給湯用配管ヘッダー１２とを納めることができ、更に柔軟管１５を用いることにより、住宅内の様々な狭小空間や突出物などのある変形空間などに対して設置することが可能となる。
【００３４】
特に、給水用配管ヘッダー１１を４分岐用ヘッダー部材２１とすると共に、給湯用配管ヘッダー１２を３分岐用ヘッダー部材３２とし、且つ、給水用配管ヘッダー１１と給湯用配管ヘッダー１２とを、機能に支障のない最小の間隔３８を有してボード１３に異なる高さ３９で固定し、更に、４分岐用ヘッダー部材２１の給水用配管ヘッダー１１の少なくとも１箇所以上の吐水口２３に分岐ジョイント４０を接続するよう構成したことにより、ボード１３を４分岐用ヘッダー部材２１のヘッダーに対応した大きさにまで小型化しつつ、４分岐以上の分配が可能になる。
【実施例２】
【００３５】
図３、図４は、この発明を具体化した実施例２を示すものである。なお、実施例１と同一ないし均等な部分については、同一の符号を付すものとし、説明が省略されている部分については、上記実施例１の記載を以て、この実施例の記載とする。
【００３６】
即ち、自立可能な強度を有する１枚のボード１３に、給水用配管ヘッダー１１と、給湯用配管ヘッダー１２とを併設して固定することにより配管用ユニットを構成すると共に、給水用配管ヘッダー１１および給湯用配管ヘッダー１２が、柔軟管１５を接続可能である点については、上記実施例１と同じである。
【００３７】
この実施例２では、この配管用ユニットの給水用配管ヘッダー１１を６分岐用ヘッダー部材５１とする。給水用配管ヘッダー１１は、直管状を呈しており、一端部に入水口２２
を有し、側部の５箇所の位置と他端部に吐水口２３を有している。そして、入水口２２に給水管２４を接続し、吐水口２３に給水分配管２５を接続する。この給水管２４および給水分配管２５が柔軟管１５で構成される。この柔軟管１５には、通常、ワンタッチ継手２６が設定されているため、入水口２２および吐水口２３には、このワンタッチ継手２６の相手部品となる受コネクタを設定しておくようにする。
【００３８】
また、この配管用ユニットの給湯用配管ヘッダー１２を３分岐用ヘッダー部材３２とする。給湯用配管ヘッダー１２は、直管状を呈しており、一端部に入水口（入湯口３３）を有し、側部の箇所の位置と他端部に吐水口（吐湯口３４）を有している。そして、入湯口３３に給湯管３５を接続し、吐湯口３４に給湯分配管３６を接続する。この給湯管３５および給湯分配管３６が柔軟管１５で構成される。この柔軟管１５には、通常、ワンタッチ継手２６が設定されているため、入湯口３３および吐湯口３４には、このワンタッチ継手２６の相手部品となる受コネクタを設定しておくようにする。
【００３９】
給水用配管ヘッダー１１と給湯用配管ヘッダー１２とを、中間部の吐水口２３と吐湯口３４とが互いに外側へ向くよう背中合せにしてボード１３の中央部に固定する。ボード１３に対する給水用配管ヘッダー１１および給湯用配管ヘッダー１２の取付けは、ブラケット金物１４を使用する。
【００４０】
なお、この実施例では、ボード１３は、垂直状態で設置されている。このボード１３に対し、給水用配管ヘッダー１１と給湯用配管ヘッダー１２とは、上下方向へ向けて背中合せに固定されている。そして、給湯用配管ヘッダー１２を左側とし、給水用配管ヘッダー１１を右側として共に、ボード１３に当接配置している。更に、給水用配管ヘッダー１１の入水口２２および給湯用配管ヘッダー１２の入湯口３３を下へ向けて、給水管２４および給湯管３５が下方へ垂下した状態で取り回されるようにしている。また、給水用配管ヘッダー１１の吐水口２３および給湯用配管ヘッダー１２の吐湯口３４を横へ向けて、給水分配管２５および給湯分配管３６が最小曲げ半径を有して給水用配管ヘッダー１１および給湯用配管ヘッダー１２と平行となるように取り回されている。
【００４１】
次に、この実施例２の作用について説明する。
【００４２】
自立可能な強度を有する１枚のボード１３に、給水用配管ヘッダー１１と、給湯用配管ヘッダー１２とを並列に固定した配管用ユニットを予め用意し、このボード１３を壁や床や天井のフトコロなど住宅内の様々な狭小空間や突出物などのある変形空間などに対して設置し、ビス、接着剤など、設置する部分の下地の位置や形状に応じた取付方で固定する。この固定に際し、設置する部分の形状に合わせてボード１３を切断加工することができる。
【００４３】
そして、ボード１３が設置されたら、給水用配管ヘッダー１１の６箇所の吐水口２３を、台所、浴室、洗面所、トイレ、洗濯機、給湯器用として、給水分配管２５を介してこれらに接続し得るようにする。
【００４４】
同様に、給湯用配管ヘッダー１２の３箇所の吐湯口３４を、台所、浴室、洗面所用として、給湯分配管３６を介してこれらに接続し得るようにする。
【００４５】
以上により、住宅の配管構造が完成する。
【００４６】
この実施例によれば、給水用配管ヘッダー１１と給湯用配管ヘッダー１２とが、吐水口２３と吐湯口３４とが互いに外側へ向くように背中合せにして並設された配管構造とすることにより、給水用配管ヘッダー１１と給湯用配管ヘッダー１２とをほぼ密着状態とする
ことができ、ヘッダー軸方向と直交する方向の寸法を短くすることができる。これにより、壁の枠材間などの狭い場所にも設置することが可能となる。
【００４７】
また、自立可能な強度を有する一枚のボード１３に、給水用配管ヘッダー１１と給湯用配管ヘッダー１２とが、吐水口２３と吐湯口３４とが互いに外側へ向くように背中合せにして並設固定された配管用ユニットを用いることにより、上記と同様の作用効果を得ることができると共に、ユニット化したことにより、現地施工工数の削減を図ることができる。
【００４８】
加えて、自立可能な強度を有する１枚のボード１３に、給水用配管ヘッダー１１と、給湯用配管ヘッダー１２とを並列に固定することにより、ケーシングをなくすと共に小型のボード１３内に給水用配管ヘッダー１１と、給湯用配管ヘッダー１２とを納めることができ、更に柔軟管１５を用いることにより、住宅内の様々な狭小空間や突出物などのある変形空間などに対して設置することが可能となる。
【００４９】
特に、給水用配管ヘッダー１１を６分岐用ヘッダー部材５１とすると共に、給湯用配管ヘッダー１２を３分岐用ヘッダー部材３２とし、且つ、給水用配管ヘッダー１１と給湯用配管ヘッダー１２とを、中間部の吐水口２３と吐湯口３４とが互いに外側へ向くよう背中合せにしてボード１３の中央部に固定することにより、６分岐用ヘッダー部材５１の給水用配管ヘッダー１１であってもボード１３の小型化を図ることができると共に、厚味方向の寸法を薄くすることができる。
【００５０】
上記以外の部分については、上記実施例と同様の構成を備えており、同様の作用・効果を得ることができる。
【００５１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００５２】
【図１】本発明の実施例１を正面から見た図である。
【図２】図１の斜視図である。
【図３】本発明の実施例２を正面から見た図である。
【図４】図３の側面図である。
【図５】従来例に用いた分水部の説明図である。
【符号の説明】
【００５３】
１１  給水用配管ヘッダー
１２  給湯用配管ヘッダー
１３  ボード
１５  柔軟管
２１  ４分岐用ヘッダー部材
２３  吐水口
３２  ３分岐用ヘッダー部材
３４  吐湯口（吐水口）
３８  間隔
３９  高さ
４０  分岐ジョイント
５１  ６分岐用ヘッダー部材
【図１】
2006225888.tif 000003
【図２】
2006225888.tif 000004
【図３】
2006225888.tif 000005
【図４】
2006225888.tif 000006
【図５】
2006225888.tif 000007